(57)【特許請求の範囲】
【請求項１】
所定の規格に従って生成された医用画像を含む医用情報を表示し、医用画像診断を支援するための医用画像診断支援システムであって、
表示対象とする前記医用情報と、前記各医用情報の記載ルールを定義する少なくとも一つの第１ルール定義ファイルと、当該システムが前記所定の規格に従う医用情報を読込む際のルールを定義する第２ルール定義ファイルと、を取得する取得手段と、
前記表示対象とする医用情報に対応する前記第１ルール定義ファイルと、前記第２ルール定義ファイルと、を比較することにより、前記医用情報に含まれる情報のうち当該医用画像診断支援システムにおいてサポート外である情報を判定する判定手段と、
前記第１ルール定義ファイルに含まれる文字列及び前記第２ルール定義ファイルの文字列を比較して、前記サポート外と判定された情報の表示にかかる適合度を、表示アプリケーション毎に計算する計算手段と、
前記表示アプリケーション毎の適合度を、所定の形態で表示する表示手段と、
を具備することを特徴とする医用画像診断支援システム。
【請求項２】
前記取得手段は、前記表示対象とする医用情報が生成されたシステムに関する情報又は当該医用画像診断支援システムに関する情報に基づいて、前記第１ルール定義ファイル又は前記第２ルール定義ファイルを検索し取得することを特徴とする請求項１記載の医用画像診断支援システム。
【請求項３】
前記判定手段は、一方のファイルにおいて値を有する情報が、他方のファイルに存在するか否かに基づいて、前記サポート外である情報を判定することを特徴とする請求項１又は２記載の医用画像診断支援システム。
【請求項４】
前記計算手段は、前記第１ルール定義ファイルと前記第２ルール定義ファイルとの間において、一方のファイルに含まれる表示アプリケーションに関する情報が他方のファイルにも含まれているか否かに基づいて、前記適合度の計算を行うことを特徴とする請求項１乃至３のうちいずれか一項記載の医用画像診断支援システム。
【請求項５】
前記計算手段は、
前記表示対象とする医用情報に対応する前記第１ルール定義ファイルに記載されているルール及び前記第２ルール定義ファイルに記載されているルールに含まれる文字列の一致度をカテゴリ毎に判定することで、前記適合度の判定を実行すること、
を特徴とする請求項１乃至４のうちいずれか一項記載の医用画像診断支援システム。
【請求項６】
前記適合度が表示された表示アプリケーションの中から、所望の表示アプリケーションを選択させるための選択手段と、
前記選択手段を介して選択された表示アプリケーションを用いて前記サポート外と判定された情報を表示するために、当該前記サポート外と判定された情報の変換を行うデータ変換手段と、をさらに具備し、
前記表示手段は、前記入力手段を介して選択された表示アプリケーションを用いて、前記変換後の前記サポート外と判定された情報を所定の形態で表示すること、
を特徴とする請求項１乃至５のうちいずれか一項記載の医用画像診断支援システム。
【請求項７】
前記表示手段は、前記表示アプリケーション毎の適合度と共に、サポート外と判定された情報の表示アプリケーションとして過去に選択された回数を表示することを特徴とする請求項１乃至６のうちいずれか一項記載の医用画像診断支援システム。
【請求項８】
所定の規格に従って生成された医用画像を含む医用情報を表示し、医用画像診断を支援するための医用画像診断支援プログラムであって、
システムに内蔵されるコンピュータに、
表示対象とする前記医用情報と、前記各医用情報の記載ルールを定義する少なくとも一つの第１ルール定義ファイルと、当該システムが前記所定の規格に従う医用情報を読込む際のルールを定義する第２ルール定義ファイルと、を取得させる取得機能と、
前記表示対象とする医用情報に対応する前記第１ルール定義ファイルと、前記第２ルール定義ファイルと、を比較させることにより、前記医用情報に含まれる情報のうち当該医用画像診断支援システムにおいてサポート外である情報を判定させる判定機能と、
前記サポート外と判定された情報を表示するための適合度を、表示アプリケーション毎に計算させる計算機能と、
前記第１ルール定義ファイルに含まれる文字列及び前記第２ルール定義ファイルの文字列を比較して、前記表示アプリケーション毎の適合度を、所定の形態で表示させる表示機能と、
を実現することを特徴とする医用画像診断支援プログラム。
【発明の詳細な説明】
【技術分野】
【０００１】
本発明は、ＤＩＣＯＭ規格において標準化されていない、システム固有のプライベート タグ及びそのデータを別の異なるシステムにて読込み表示する際の支援を行う医用画像診断支援システム及び医用画像診断支援プログラムに関する。
【背景技術】
【０００２】
ＤＩＣＯＭ（Digital Imaging and Communication in Medicine）とは、医用におけるディジタル画像と通信に関する標準規格であり、医用画像機器間での画像情報の通信分野、ＨＩＳ（Hospital Information System）／ＲＩＳ（Radiology Information System）との連携によるシステム構築分野等において全世界で普及している。このＤＩＣＯＭ規格を採用した機器を用いることにより、さまざまなメーカーの医用画像情報機器をネットワークに接続し、装置間において医用画像等の医用情報をやり取りすることができる。
【０００３】
ＤＩＣＯＭ規格を利用する医用画像診断支援システムでは、ＤＩＣＯＭ規格で標準化される前のシステム固有の情報は、プライベートタグ領域（操作者側が自由に利用できるタグ領域）に記述される。この様なシステム固有の情報がその後ＤＩＣＯＭ規格によって標準化された場合には、パブリック領域に記述されることになる。
【先行技術文献】
【特許文献】
【０００４】
【特許文献１】特開２００６−３２６３１４号公報
【発明の概要】
【発明が解決しようとする課題】
【０００５】
しかしながら、従来のＤＩＣＯＭ規格をサポートする医用画像観察装置（ビューア）では、ＤＩＣＯＭ規格により標準化されていないシステム固有のデータ、例えば他社装置や他機種のプライベートタグをシステムで解釈することができず、読み飛ばしてて表示を行っていない。このため、プライベートタグに含まれている有効な情報を好適に利用することができない。また、プライベートタグに含まれている有効な情報を敢えて読み出し表示しようとすれば、類似のデータを取得するために他社の類似システムで再度解析する必要があり、作業効率が低下することになる。
【０００６】
本発明は、上記事情を鑑みてなされたもので、ＤＩＣＯＭ等の所定の規格に従って作成されたデータのタグの定義ルールを解析することにより、自システムのみならず他のシステムにおいて記録された情報をも表示可能とし、情報共有の効率化を可能にする医用画像診断支援システム及び医用画像診断支援プログラムを提供することを目的としている。
【課題を解決するための手段】
【０００７】
本発明は、上記目的を達成するため、次のような手段を講じている。
【０００８】
請求項１に記載の発明は、所定の規格に従って生成された医用画像を含む医用情報を表示し、医用画像診断を支援するための医用画像診断支援システムであって、表示対象とする前記医用情報と、前記各医用情報の記載ルールを定義する少なくとも一つの第１ルール定義ファイルと、当該システムが前記所定の規格に従う医用情報を読込む際のルールを定義する第２ルール定義ファイルと、を取得する取得手段と、前記表示対象とする医用情報に対応する前記第１ルール定義ファイルと、前記第２ルール定義ファイルと、を比較することにより、前記医用情報に含まれる情報のうち当該医用画像診断支援システムにおいてサポート外である情報を判定する判定手段と、前記第１ルール定義ファイルに含まれる文字列及び前記第２ルール定義ファイルの文字列を比較して、前記サポート外と判定された情報を表示するための適合度を、表示アプリケーション毎に計算する計算手段と、前記表示アプリケーション毎の適合度を、所定の形態で表示する表示手段と、を具備することを特徴とする医用画像診断支援システムである。
請求項８に記載の発明は、所定の規格に従って生成された医用画像を含む医用情報を表示し、医用画像診断を支援するための医用画像診断支援プログラムであって、コンピュータに、表示対象とする前記医用情報と、前記各医用情報の記載ルールを定義する少なくとも一つの第１ルール定義ファイルと、当該システムが前記所定の規格に従う医用情報を読込む際のルールを定義する第２ルール定義ファイルと、を取得させる取得機能と、前記表示対象とする医用情報に対応する前記第１ルール定義ファイルと、前記第２ルール定義ファイルと、を比較させることにより、前記医用情報に含まれる情報のうち当該医用画像診断支援システムにおいてサポート外である情報を判定させる判定機能と、前記サポート外と判定された情報を表示するための適合度を、表示アプリケーション毎に計算させる計算機能と、前記第１ルール定義ファイルに含まれる文字列及び前記第２ルール定義ファイルの文字列を比較して、前記表示アプリケーション毎の適合度を、所定の形態で表示させる表示機能と、を実現することを特徴とする医用画像診断支援プログラムである。
【発明の効果】
【００１０】
以上本発明によれば、ＤＩＣＯＭ等の所定の規格に従って作成されたデータのタグの定義ルールを解析することにより、自システムのみならず他のシステムにおいて記録された情報をも表示可能とし、情報共有の効率化を可能にする医用画像診断支援システム及び医用画像診断支援プログラムを実現することができる。
【図面の簡単な説明】
【００１１】
【図１】図１は、第１の実施形態に係る医用画像診断支援システム１のブロック構成図を示している。
【図２】図２は、ＤＩＣＯＭデータルール定義ファイル１１３の構成の一例を示した図である。
【図３】図３は、システムルール定義ファイル１１５の構成の一例を示した図である。
【図４】図４は、本医用画像診断支援機能を用いて、表示要求対象となるＤＩＣＯＭデータの読込から表示までを行う場合の処理の流れを示したフローチャートである。
【図５】図５は、表示ユニット２３において表示される表示アプリケーション候補リストの一例を示した図である。
【図６】図６は、第２の実施形態に係る医用画像診断支援システム１のブロック構成図を示している。
【図７】図７は、本第１の実施形態に係る医用画像診断支援機能を用いて、表示要求対象となるＤＩＣＯＭデータの読込から表示までを行う場合の処理の流れを示したフローチャートである。
【発明を実施するための形態】
【００１２】
以下、本発明の第１実施形態及び第２実施形態に係る医用画像診断支援システムを図面に従って説明する。以下の説明において、略同一の機能及び構成を有する構成要素については、同一符号を付し、重複説明は必要な場合にのみ行う。なお、本医用画像診断支援システムは、例えば医用画像観察装置（ビューア）等に代表されるワークステーションに内蔵され使用されるものである。
【００１３】
（第１実施形態）
図１は、本実施形態に係る医用画像診断支援システム１のブロック構成図を示している。同図に示すように、本医用画像診断支援システム１は、データベースユニット１１、ＤＩＣＯＭデータ読込ユニット１３、ルール定義ファイル読込ユニット１５、解析ユニット１７、データ変換ユニット１９、アプリケーション実行ユニット２１、表示ユニット２３、入力ユニット２５、送受信ユニット２７を具備している。
【００１４】
データベースユニット１１は、少なくとも一つのＤＩＣＯＭデータファイル、各ＤＩＣＯＭデータファイルに対応するＤＩＣＯＭデータルール定義ファイル、当該医用画像診断支援システム１に関するシステムルール定義ファイルを格納する。ここで、ＤＩＣＯＭデータルール定義ファイルとは、ＤＩＣＯＭデータのヘッダーのタグに関する記載ルールを定義するファイルであり、各ＤＩＣＯＭデータを作成したシステム毎に作成され、必要に応じて各ＤＩＣＯＭデータと対応付けて管理される。また、システムルール定義ファイルとは、当該医用画像診断支援システム１がＤＩＣＯＭ規格に従ってＤＩＣＯＭデータのヘッダーのタグを読む際のルールを定義するファイルである。
【００１５】
図２は、ＤＩＣＯＭデータルール定義ファイル１１３の構成の一例を示した図である。図３は、システムルール定義ファイル１１５の構成の一例を示した図である。各図に示す様に、何れのルール定義ファイルも、ＤＩＣＯＭデータの各タグ（プライベートタグ、パブリックタグのいずれも含む）がどのような意味を持つものであるかについて、「値の意味」、「単位」、「値の評価方法（閾値と閾値とを境にどのような解釈が成り立つか等）」、「推奨される表示アプリケーション（ベンダー名、アプリケーション名、システム名、テキスト、グラフ、表、図又はこれらの組み合わせ等）」の各カテゴリ毎に説明されている。
【００１６】
ＤＩＣＯＭデータ読込ユニット１３は、入力ユニット２５を介してユーザから表示要求の対象とされた少なくとも一つのＤＩＣＯＭデータを、データベースユニット１１から読み込む。
【００１７】
ルール定義ファイル読込ユニット１５は、ＤＩＣＯＭデータ読込ユニット１３によって読込まれた少なくとも一つのＤＩＣＯＭデータに対応するＤＩＣＯＭデータルール定義ファイル１１３とシステムルール定義ファイル１１５とを、データベースユニット１１から読み込む。
【００１８】
解析ユニット１７は、ルール定義ファイル読込ユニット１５が読み込んだＤＩＣＯＭデータルール定義ファイル１１３とシステムルール定義ファイル１１５とを比較して解析し、表示要求の対象とされたＤＩＣＯＭデータの各タグに含まれる情報が当該システムにおいてサポートされているか否かを判定し、標準サポート対象であるタグと標準サポート対象でないタグとを区別する。また、解析ユニット１７は、標準サポート外のタグが存在すると判定した場合には、当該標準サポート外のタグを表示するためのアプリケーション毎の適合度を計算する。この適合度の計算は、例えば、標準サポート外と判定されたタグに関するＤＩＣＯＭデータルール定義ファイル１１３の説明と、システムルール定義ファイル１１５のタグの説明との間で順次文字列比較を実行し、その結果に基づいて実行される。
【００１９】
データ変換ユニット１９は、標準サポート対象でないタグを当該システムがサポートするタグと認識するように、ＤＩＣＯＭデータルール定義ファイルの変換を行う。
【００２０】
アプリケーション実行ユニット２１は、入力ユニット２５を介してユーザによって選択されたアプリケーション等を実行し、表示要求対象とされたＤＩＣＯＭデータを表示ユニット２３に表示する。
【００２１】
表示ユニット２３は、所定のアプリケーションによって実行されたＤＩＣＯＭデータを所定の形態で表示する。また、表示ユニット２３は、後述する表示アプリケーション候補リスト、表示アプリケーション毎の適合度、サポート対象外の表示アプリケーションとして選択された回数等を所定の形態で表示する。
【００２２】
入力ユニット２５は、キーボード、トラックボール、マウス、各種専用スイッチを具備している。ユーザは、当該ユニット２５を介して、表示要求対象とするＤＩＣＯＭデータを特定するための情報、標準サポート外のタグを表示するためのアプリケーションの選択指示等を入力する。
【００２３】
送受信ユニット２７は、ネットワークを介して、他の装置（データベースを含む）とＤＩＣＯＭデータ、ＤＩＣＯＭデータルール定義ファイル等を含む情報を送受信する。
【００２４】
（医用画像診断支援機能）
次に、本医用画像診断支援システム１１が有する、医用画像診断支援機能について説明する。本機能は、ＤＩＣＯＭデータのヘッダーのタグに関するルールを定義するＤＩＣＯＭデータルール定義ファイルと、当該医用画像診断支援システム１がＤＩＣＯＭ規格に従ってＤＩＣＯＭデータのヘッダーのタグを読む際のルールを定義するシステムルール定義ファイルとを比較・解析してＤＩＣＯＭデータのプライベートタグシステムのパブリックタブとの同一性を検証し、その検証結果に基づいて、標準サポート対象外とされるプライベートタグであっても、適切なアプリケーションを選択して表示可能とするものである。
【００２５】
図４は、本第１の実施形態に係る医用画像診断支援機能を用いて、表示要求対象となるＤＩＣＯＭデータの読込から表示までを行う場合の処理の流れを示したフローチャートである。
【００２６】
まず、入力ユニット２５を介して、ユーザから表示要求対象となるＤＩＣＯＭデータファイルの読み込み要求指示が入力される（ステップＳ１）。ＤＩＣＯＭデータ読込ユニット１３は、入力された要求指示に応答して、データベースユニット１１から対象となるＤＩＯＣＭデータファイル１１１を読み込む（ステップＳ２）。また、ルール定義ファイル読込ユニット１５は、表示要求対象となったＤＩＣＯＭデータに対応するＤＩＣＯＭデータルール定義ファイル１１３と、当該医用画像診断支援システム１に関するシステムルール定義ファイルと、をデータベースユニット１１から読み込む（ステップＳ３）。ステップＳ２、Ｓ３において読み込まれた情報は、解析ユニット１７に引き渡される。
【００２７】
次に、解析ユニット１７は、ＤＩＣＯＭデータルール定義ファイル１１３、システムルール定義ファイル１１５を比較し、両者が完全に一致するか否かを解析する（ステップＳ４）。その結果、ＤＩＣＯＭデータルール定義ファイル１１３とシステムルール定義ファイル１１５とが完全に一致した場合には、解析ユニット１７は、表示要求対象とされたＤＩＣＯＭデータのタグは、全て標準サポート対象内と判定し（ステップＳ４の「Ｙｅｓ」）、対応するアプリケーションによって実行するため、表示要求対象となっているＤＩＣＯＭデータ、ＤＩＣＯＭデータルール定義ファイル１１３、システムルール定義ファイル１１５をアプリケーション実行ユニット２１に引き渡す（ステップＳ５）。アプリケーション実行ユニット２１は、表示要求対象となっているＤＩＣＯＭデータのタグは全て当該医用画像診断支援システム１がサポート対象とするものであると判定し、所定のアプリケーションを実行する。その結果、表示要求対象とされたＤＩＣＯＭデータは表示ユニット２３に所定の形態で表示される（ステップＳ６）。一方、ステップＳ４の解析の結果、ＤＩＣＯＭデータルール定義ファイル１１３とシステムルール定義ファイル１１５とが完全には一致しない場合には、解析ユニット１７は、表示要求の対象とされたＤＩＣＯＭデータのタグは標準サポート対象外であると判定し（ステップＳ４の「Ｎｏ」）、ステップＳ４０１に以降する。
【００２８】
次に、解析ユニット１７は、例えば表示要求対象となっているＤＩＯＣＭデータで値を有するタグに一致するタグの説明が、システムルール定義ファイルに存在するか否か等を検証する（ステップＳ４０２）。具体的には、解析ユニット１７は、ＤＩＣＯＭデータルール定義ファイル１１３とシステムルール定義ファイル１１５とを比較し、タグ番号は異なるが同一のアプリケーション名が含まれているか／いないかを検証する。
【００２９】
検証の結果、双方のルール定義ファイル間において異なるタグ番号で同一のアプリケーション名が含まれていない判定した場合には（ステップＳ４０２の「Ｎｏ」）、解析ユニット１７は、ＤＩＣＯＭデータルール定義ファイル１１３及びシステムルール定義ファイル１１５の各カテゴリ毎に、順次文字列比較を実行し当該標準サポート外のタグを表示するためのアプリケーション毎の適合度を計算する（ステップＳ４０３）。すなわち、解析ユニット１７は、ＤＩＣＯＭデータルール定義ファイル１１３及びシステムルール定義ファイル１１５の「値の意味」、「単位」、「値の評価方法」等のカテゴリ毎に、各カテゴリに記載されている文字列を比較し、一致した文字列を分子とし、各カテゴリの文字列（長い文字列の文字数）を分母とした割合を算出する。解析ユニット１７は、こうして得られた各カテゴリ毎の割合と、カテゴリ毎に設定された所定の重み付け係数とを用いて、アプリケーション毎の適合度を計算する。
【００３０】
一方、検証の結果、双方のルール定義ファイル間において異なるタグ番号で同一のアプリケーション名が含まれていると判定した場合には、当該アプリケーションの適合度を１００％とし（ステップＳ４０２の「Ｙｅｓ」）、ステップＳ４０４に進む。
【００３１】
次に、解析ユニット１７は、当該医用画像診断支援システム１がサポートする各アプリケーション毎にステップＳ４０２、ステップＳ４０３において取得された表示アプリケーション毎の適合度を示す表示アプリケーション候補リストを作成し、表示ユニット２３において所定の形態で表示（提示）する（ステップＳ４０４）。
【００３２】
図５は、表示ユニット２３において表示される表示アプリケーション候補リストの一例を示した図である。同図の例では、適合度が所定の閾値以上（例えば適合度５０％以上）である表示アプリケーションを候補として提示している。また、表示アプリケーション候補リストには、同図の例に示す様に、常に「テキスト形式」、「表形式」、「画像形式」を表示するアプリケーションを表示することが好ましく、アプリケーション毎に「これまで当該のサポート対象外タグの表示アプリケーションとして選択された回数」を表示することが好ましい。なお、表示可能なアプリケーションが存在しない場合（例えば、適合度５０％以上のアプリケーションが存在しない場合）には、ＤＩＣＯＭデータのヘッダに記載された情報がテキストで表示される。この様な構成よれば、ユーザは過去に表示可能であったアプリケーションを定量的に把握することができ、今回のアプリケーション選択における基準とすることができる。
【００３３】
次に、提示された表示アプリケーション候補リストを参照しながら、入力ユニット２５を介してユーザから所望の表示アプリケーションの選択指示が入力されると、データ変換ユニット１９は、標準サポート外のタグとデータとを本医用画像診断支援システム１がサポートするタグと認識するように、ＤＩＣＯＭデータファイルにおいてデータの置き換え（タグの変換）を実行する（ステップＳ４０６）。
【００３４】
次に、解析ユニット１７は、タグが変換されたＤＩＣＯＭデータをアプリケーション実行ユニット２１に引き渡す（ステップＳ５）。アプリケーション実行ユニット２１は、ステップＳ４０５において選択されたアプリケーションを用いて、表示要求対象とされたＤＩＣＯＭデータを、所定の形態で表示ユニット２３に表示する（ステップＳ６）。
【００３５】
なお、ＤＩＣＯＭデータの表示後、正しく表示されたかをユーザに確認することにより、ユーザが満足するアプリケーションのみ、タグの表示アプリケーションとしての選択回数を加算して更新し、次回以降の表示アプリケーション候補リストに反映させることが好ましい。また、タグと表示アプリケーション候補の組合せを記憶することにより、次回目以降自動的に今回選択したアプリケーションにて表示してもよい。
【００３６】
（効果）
以上述べた構成によれば、以下の効果を得ることができる。
【００３７】
本医用画像診断支援システムによれば、ＤＩＣＯＭデータのヘッダーのタグに関するルールを定義するＤＩＣＯＭデータルール定義ファイルと、当該医用画像診断支援システム１がＤＩＣＯＭ規格に従ってＤＩＣＯＭデータのヘッダーのタグを読む際のルールを定義するシステムルール定義ファイルとを比較・解析してＤＩＣＯＭデータのプライベートタグシステムのパブリックタブとの同一性を検証し、標準サポート外であるタグを判定する。判定の結果、標準サポート対象外とされるプライベートタグが存在する場合には、当該標準サポート外のタグを表示するためのアプリケーション毎の適合度を計算し、提示された表示アプリケーション候補リストとしてユーザに提示する。従って、ユーザは、当該システムから提示される表示アプリケーション候補リストのうち、適合度の高いものから順に選択・実行することで、標準サポート外のタグを読み飛ばすことなく適切に表示することができる。
【００３８】
また、標準サポート外のタグをシステムが自動的に判定し、表示するためのアプリケーションの適合度を自動的に計算しユーザに提示するため、標準サポート外のタグの抽出処理や表示するための解析処理を別途行う必要がない。従って、画像診断の作業効率を向上させることができると共に、標準サポート外のタグに含まれる重要な情報の読み飛ばしを防止することができ、画像診断の質の向上に寄与することができる。
【００３９】
さらに、本医用画像診断支援システムでは、表示アプリケーション毎に「標準サポート外のタグの表示アプリケーションとして選択された回数」をユーザに確認し、その結果をフィードバックして、表示アプリケーション候補リストにおいて表示回数としてユーザに提示する。従って、ユーザは、過去に表示アプリケーションとして選択された回数を基準として、今回の表示アプリケーションを選択することができる。
【００４０】
（第２の実施形態）
次に、本発明の第２の実施形態について説明する。上述した第１の実施形態では、当該医用画像診断システム１において、ＤＩＣＯＭデータルール定義ファイル、及びシステムルール定義ファイルの双方が揃っている場合を例に説明した（図１参照）。これに対し、本第２の実施形態では、当該医用画像診断システム１において、ＤＩＣＯＭデータルール定義ファイル、又はシステムルール定義ファイルのどちらか一方しか存在しない双方が揃っておらず、ネットワークを介して他方のルール定義ファイルを他の装置から取得する場合について説明する。なお、本実施形態では、説明を具体的にするため、ＤＩＣＯＭデータルール定義ファイルが存在しない場合を例とする。
【００４１】
図６は、第２の実施形態に係る医用画像診断支援システム１のブロック構成図を示している。図４に示した第１の実施形態のブロック構成図と比較した場合、データベースユニット１１内にＤＩＣＯＭデータルール定義ファイルが格納されていない点、ルール定義ファイル検索ユニット２９をさらに具備する点が異なる。
【００４２】
ルール定義ファイル検索ユニット２９は、解析ユニット１７からの要求指示を受けて、送受信ユニット２７を介してネットワークに接続された各装置を検索し、医用画像診断支援機能の従う処理に必要な情報（例えば、ＤＩＣＯＭデータルール定義ファイル等）を取得する。
【００４３】
図７は、本第１の実施形態に係る医用画像診断支援機能を用いて、表示要求対象となるＤＩＣＯＭデータの読込から表示までを行う場合の処理の流れを示したフローチャートである。
【００４４】
まず、入力ユニット２５を介して、ユーザから表示要求対象となるＤＩＣＯＭデータファイルの読み込み要求指示が入力される（ステップＳ１１）。ＤＩＣＯＭデータ読込ユニット１３は、入力された要求指示に応答して、データベースユニット１１から対象となるＤＩＯＣＭデータファイル１１１を読み込む（ステップＳ１２）。ルール定義ファイル読込ユニット１５は、当該医用画像診断支援システム１に関するシステムルール定義ファイルをデータベースユニット１１から読み込む（ステップＳ１３）。ステップＳ１２、Ｓ１３において読み込まれた情報は、解析ユニット１７に引き渡される。
【００４５】
次に、解析ユニット１７は、ステップＳ１２、Ｓ１３において読み込まれた情報を引き受け、表示要求対象となっているＤＩＣＯＭデータ、当該ＤＩＣＯＭデータのルール定義ファイル、当該システムに関するルール定義ファイルが全て揃っているか否かを検証する。検証の結果、不足する情報がある場合（本実施形態の例では、表示要求対象となっているＤＩＣＯＭデータのルール定義ファイルが不足）には、解析ユニット１７は、ルール定義ファイル検索ユニット２９に、対応するＤＩＣＯＭデータルール定義ファイルの検索要求を指示する（ステップＳ１４）。
【００４６】
次に、ルール定義ファイル検索ユニット２９は、送受信ユニット２７を経由して、ネットワーク上の他の装置やデータベースを検索し、表示要求対象となったＤＩＣＯＭデータに対応するＤＩＣＯＭデータルール定義ファイル１１３を取得する（ステップＳ１５）。具体的には、表示対象とされるＤＩＣＯＭデータが生成されたシステム或いは当該システムの名称、型式に基づいて、ネットワーク上の別システム、ルール定義ファイルサーバ等を検索し、ダウンロード（取得）する。取得されたＤＩＣＯＭデータルール定義ファイル１１３は、解析ユニット１７に引き渡される。
【００４７】
以降、ステップ１６〜ステップＳ１８までの各処理は、図４に示したステップＳ４〜ステップＳ６までの各処理と実質的に同じである。
【００４８】
以上述べた構成によれば、当該医用画像診断システム１において、ＤＩＣＯＭデータルール定義ファイル、又はシステムルール定義ファイルのどちらか一方が存在しない場合であっても、他方のルール定義ファイルをネットワークを介して他の装置から取得し、当該システムルール定義ファイルとを比較・解析してＤＩＣＯＭデータのプライベートタグシステムのパブリックタブとの同一性を検証し、その検証結果に基づいて、標準サポート対象外とされるプライベートタグであっても、適切なアプリケーションを選択して表示することができる。
【００４９】
なお、本発明は上記実施形態そのままに限定されるものではなく、実施段階ではその要旨を逸脱しない範囲で構成要素を変形して具体化できる。例えば、本実施形態に係る各機能は、当該処理を実行するプログラムをワークステーション等のコンピュータにインストールし、これらをメモリ上で展開することによっても実現することができる。このとき、コンピュータに当該手法を実行させることのできるプログラムは、磁気ディスク（フロッピー（登録商標）ディスク、ハードディスクなど）、光ディスク（ＣＤ−ＲＯＭ、ＤＶＤなど）、半導体メモリなどの記録媒体に格納して頒布することも可能である。
【００５０】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【００５１】
以上本発明によれば、ＤＩＣＯＭ等の所定の規格に従って作成されたデータのタグの定義ルールを解析することにより、自システムのみならず他のシステムにおいて記録された情報をも表示可能とし、情報共有の効率化を可能にする医用画像診断支援システム及び医用画像診断支援プログラムを実現することができる。
【符号の説明】
【００５２】
１…医用画像診断支援システム、１１…データベース、１３…ＤＩＣＯＭデータ読込ユニット、１５…ルール定義ファイル読込ユニット、１７…解析ユニット、１９…データ変換ユニット、２１…アプリケーション実行ユニット、２３…表示ユニット、２５…入力ユニット、２７…送受信ユニット
【図１】
0005414383.tif 000002
【図２】
0005414383.tif 000003
【図３】
0005414383.tif 000004
【図４】
0005414383.tif 000005
【図５】
0005414383.tif 000006
【図６】
0005414383.tif 000007
【図７】
0005414383.tif 000008